(57)【要約】      （修正有）【課題】簡単な構造で保守が大変簡単にでき、かつ防虫・防臭効果のある雨水の排水桝に嵌めて使われる防水防虫装置を提供する。【解決手段】雨水等の排水桝１に嵌め込んだ箱状のケース４の底板に、ボール大の比較的大きな丸孔６を開け、この丸孔に球状のフロート５を嵌合させ、かつケース底からの抜けを防止する構造にして防臭・防虫している。【選択図】図１
0003103747.tif 000002
【実用新案登録請求の範囲】
【請求項１】
雨水の排水桝に嵌合される嵌合式の箱状ケースを有する防臭防虫装置において、ケースの底に開けたボール大の比較的大きな丸孔と、前記ケースに雨水が流入すると浮く球状のフロートと、雨水でフロートがケースの底から抜け出ないようにする位置決め手段とからなり、前記丸孔に前記フロートが嵌合されており、雨水が流入するとフロートが浮いて丸孔が開状態となることにより、雨水が放出され、かつ前記フロートが丸孔を塞ぐことにより臭い・虫の上昇を遮断したことを特徴とする防臭防虫装置。
【考案の詳細な説明】
【技術分野】
【０００１】
本考案は、雨水等の排水桝の蓋とその受け桝の間に挿入設置される嵌合式の箱状ケースを有する防水防虫装置に関する。
【背景技術】
【０００２】
市街地において、地下に形成した水路を流路とする河川または下水路から発生する臭気をおよび蚊等虫を外部に漏れないようにし、かつ大水のばあいでも短時間に排水するものに特開平７−２６６１５号公報に示されるものがある。これは、水受け板を支軸で支え、その左右に筒状の排水管を設け、この底部に設けた最小開口部から排水している。一方の端部にあるバネと取り付け棒とで通常は水受け板を支軸バランスを保っているが、大水がくると、バランスが崩れ水受け板が支軸を介して回動し放出するものである。排水管の筒状のなかにボールをいれ底部に設けた最小開口部を塞ぐことによって臭気の上昇を遮断している。
【０００３】
この種の従来のものは、水受け板をバランスをとって支承するため、回動のバランスをとるための錘とバネが必要で、かつバネの傷みによる保守交換が必要である。このように受け板が回動するバランス方式のため、防臭・防虫のためには筒状排水管の底部に設けた最小開口部を小さくせざるをえない。雨水とともに流入するゴミが排水管の入口を塞ぐとか、ゴミの流入を防止するため排水管入口に網を固着せねばならず、そのうえ網が破れれば、排水口が詰まり、補修は困難という欠点があった。増水したときは、水受け板の回動が逆方向になるため、バネが傷みやすいという欠点があった。
【特許文献１】特開平７−２６６１５号公報
【特許文献２】特開２００２−２０１７０４号公報
【考案の開示】
【考案が解決しようとする課題】
【０００４】
本考案の解決しようとする課題は、これらの欠点に鑑み、簡単な構造で保守が大変簡単にでき、かつ防虫・防臭効果のある雨水の排水桝に嵌めて使われる防水防虫装置を提供することにある。
【課題を解決するための手段】
【０００５】
本考案は、雨水等の排水桝に嵌め込んだ箱状のケースの底板に、ボール大の比較的大きな、例えば１０ｃｍぐらいの円状の丸孔を開け、この丸孔に球状のフロート（浮き子）を嵌合させ、かつフロートの下部に棒状の取り付け棒をつけている。この取り付け棒を上記本体ケースの底に取り付けた位置決め板に遊動自在に通して嵌合し、ケース底からの抜けを防止する構造としている。
【考案の効果】
【０００６】
この構造により、雨水が流れ込むと前記フロートが浮き上がり、小さなゴミは、前記比較的大きな丸孔から雨水とともに容易に流れだす。大水のときは、フロートが取り付け棒の長さ一杯に浮き上がり、大量の水が前記丸孔からスムーズに流れ出す。丸孔をフロートで塞いで下水の臭いや蚊などの虫の上昇を遮断することができる。
【考案を実施するための最良の形態】
【０００７】
実施例１に本考案の一つの実施例を示す。
実施例２に本考案の他の実施例を示す。
【実施例１】
【０００８】
フロートが１つの場合を説明する。図１は、雨水の排水桝を説明的に示す概略説明図で、１は雨水用の排水桝で、２は排水配管、３は排水桝１上に嵌められたグレーチングである。４はステンレス製の嵌合式箱状ケースで、雨水等の排水桝の蓋とその受け桝の間に挿入設置される。その底Ｐの中心部にボール大の１０ｃｍ程度の比較的大きな丸孔５が開けられ、この丸孔５に水に浮く比重の軽い球状の樹脂製フロート５が嵌合される。この球状のフロート５の下部に棒状の取り付け棒がとりつけられ、通常は丸孔６を塞ぐ働きをする。取り付け棒６は、ケース４の底裏８に取り付けられたステンレス製の位置決め板９に遊動自在に通して嵌合し、抜けを防止する構造となっている。フロート５が複数個ある場合を示す図２で構造が明らかに理解できる。
【０００９】
晴天時、雨天時、増水時のときの各状態について図３を参照して説明すると、図(a)は、晴天時を示しフロート５はケース４の底にある孔６塞ぐので、桝１から昇ってくる臭い・蚊などの虫を遮断する。図（ｂ）は、雨天時を示し、グレーチング３からケース４に流れ込む雨水により、フロート５は浮き上がり、丸孔６がが開状になるので、矢印１１のようにゴミとともに雨水が増すに放出される。図（ｃ）は、大雨等でケース４内の水量が増したとき、フロート５が孔６から浮き上がり、増水を矢印１２のように地上に逃がし、グレーチング３の跳ね上がりを防止する。
【実施例２】
【００１０】
この実施例は、図４の上面図にフロート５が複数の場合を示す。この例では、ケース４が大きい例で、底Pに丸孔６を５個開ける。矢視A-Aから見た斜視断面図を図２に示す。ケース４のフランジ１３が桝１とグレーチング３との間に嵌合される。図５に理解するための模擬的な断面図を示す。ケース４の底Pに大きな孔６を数多く明け、雨水とゴミを出しやすい構造にできる。フロート５の棒状の取り付け棒７は上記のようにケース４の底裏８に取り付けられたステンレス製の位置決め板９に遊動自在に通して嵌合し、抜けを防止する構造となっている。
図６に示すようにケース４に雨水が溜まるとフロート５は、底Pの孔６から浮力で浮き上がり、大きな孔６は、開状態となり、大量の雨水が短時間で矢印１４のようにゴミとともに流れる。孔径が５ｃｍ〜１０cmだと木の葉っぱのような相当大きなゴミが放出できる。
【００１１】
フロート５は樹脂製で説明したが、銅製でもよい。取り付け棒６はステンレスでも樹脂でもよい。
【００１２】
またフロート５がケース４からの抜けでないようにする位置決め手段をフロート５の取り付け棒６と位置決め板９とで構成したが、ケース４の４隅に嵌合するX状の被せ脚材で押さえるようにして抜け防止をしても良い。
【図面の簡単な説明】
【００１３】
【図１】本考案の一実施例の実施例１を説明する概略説明図である。
【図２】本考案の一実施例を説明する斜視断面図である。
【図３】本発明の一実施例を説明する説明図である。
【図４】本発明の一実施例の実施例２の上面図である
【図５】本発明の一実施例の実施例２の説明断面である。
【符号の説明】
【００１４】
１・・・排水桝
２・・・排水配管
３・・・グレーチング
４・・・ケース
５・・・フロート
６・・・丸孔
７・・・取り付け棒
９・・・位置決め板
【図１】
0003103747.tif 000003
【図２】
0003103747.tif 000004
【図３】
0003103747.tif 000005
【図４】
0003103747.tif 000006
【図５】
0003103747.tif 000007
【手続補正書】
【提出日】平成16年3月12日(2004.3.12)
【手続補正１】
【補正対象書類名】明細書
【補正対象項目名】０００２
【補正方法】変更
【補正の内容】
【０００２】
市街地において、地下に形成した水路を流路とする河川または下水路から発生する臭気および蚊等虫を外部に漏れないようにし、かつ大水の場合でも短時間に排水するものに特開平７−２６６１５号公報に示されるものがある。これは、水受け板を支軸で支え、その左右に筒状の排水管を設け、この底部に設けた最小開口部から排水している。一方の端部にあるバネと取り付け棒とで通常は水受け板を支軸バランスを保っているが、大水がくると、バランスが崩れ水受け板が支軸を介して回動し放出するものである。排水管の筒状のなかにボールをいれ底部に設けた最小開口部を塞ぐことによって臭気の上昇を遮断している。